(57)【要約】【課題】ＩＰ電話端末の端末固有情報に基づく認証に加え、ユーザ(操作者)を確認する機会を設け、個々のデータ端末毎にアクセス可能な範囲を限定して、アクセスを許容／規制するデータ転送機能を有するＩＰ電話端末を提供する。【解決手段】ＩＰ電話端末にデータ端末接続用インタフェースに接続されたデータ端末間で情報を転送する情報転送手段と相手端末から受信したＩＤを照合する手段を設け、更に該ＩＰ電話端末と対向するＩＰ電話端末とが通話中に及び留守番モード中に特定操作を行うことによって、通話中及び留守番モード中に前記情報転送手段を有効とする。【選択図】図１
2010045473.tif 000002
【特許請求の範囲】
【請求項１】
ＩＰ網に接続される相手端末と通信するＩＰインタフェースと、イントラネットに接続される所定のデータ端末または所定の情報サイトと通信するデータポートを備えたデータ転送機能を有するＩＰ電話端末であって、
前記ＩＰインタフェースと前記データポート間のデータ転送を中継する中継手段と前記中継手段による前記データ転送を特定操作により制御する特定操作手段とを有し、前記相手端末からの着信を検知し、前記相手端末からのアクセス要求に対応した前記特定操作手段の特定操作に応答して前記中継手段のデータ中継動作を制御し、前記相手端末から前記所定のデータ端末または所定の情報サイトへのアクセスを許容することを特徴とするデータ転送機能を有するＩＰ電話端末。
【請求項２】
請求項１に記載のＩＰ電話端末であって、
前記通信中の相手端末から所定のＩＤを受信するＩＤ受信手段と、予め登録されたＩＤと前記受信したＩＤとを照合するＩＤ照合手段をさらに有し、
前記受信したＩＤが予め登録されたＩＤと一致しなかったならば、前記特定操作をした場合であっても、当該相手端末が要求するアクセスからの情報を転送しないことを特徴とするデータ転送機能を有するＩＰ電話端末。
【請求項３】
請求項１または２に記載のＩＰ電話端末であって、
前記特定操作手段の前記特定操作は、前記中継手段の特定のデータ中継動作に対応した特定操作ボタンの押し下げであり、通話中に前記相手端末からのアクセス要求範囲を確認してなされた前記特定操作ボタンの押し下げに応答して、前記中継手段のデータ中継動作を制御し、前記相手端末から前記所定のデータ端末または所定の情報サイトへのアクセスを許容することを特徴とするデータ転送機能を有するＩＰ電話端末。
【請求項４】
請求項１または２に記載のＩＰ電話端末であって、
留守番モード機能と特定コード抽出手段をさらに有し、
前記留守番モード機能の設定中に、前記前記特定抽出部が前記相手端末から受信した信号中の特定コードを抽出し、前記特定コードが予め登録された特定コードであった場合に、前記特定操作手段は、前記相手端末からの前記相手端末からのアクセス要求に対応した前記特定コードに応答して前記中継手段のデータ中継動作を制御し、前記相手端末から前記所定のデータ端末または所定の情報サイトへのアクセスを許容することを特徴とするデータ転送機能を有するＩＰ電話端末。
【発明の詳細な説明】
【技術分野】
【０００１】
本発明は、有線もしくは無線のＩＰ（Ｉｎｔｅｒｎｅｔ  Ｐｒｏｔｏｃｏｌ）ネットワークに接続され、データ端末を収容するＥｔｈｅｒｎｅｔ（登録商標）やＵＳＢ（Ｕｎｉｖｅｒｓａｌ  Ｓｅｒｉａｌ  Ｂｕｓ）などのデータ端末接続用インタフェース(ポート)を有するＩＰ電話端末において、対向端末から収容するデータ端末に対するアクセス要求を認識し、該データ端末接続用ポートに対するデータ中継を制御する技術に関する。
【背景技術】
【０００２】
従来、データ端末に対するアクセス認証は、データ端末(クライアントＰＣ)のＩＰアドレス情報を利用する方法が一般的である。このことは、例えば、特許文献１などに開示されている。また、ユーザが内線電話機からの指示(キー操作に)よって、ルータ装置のデータ中継機能の有効／無効を制御する方法が特許文献２で開示されている。
【特許文献１】特開２００７−２８６８２０号公報
【特許文献２】特開２００３−２３６４９号公報
【発明の開示】
【発明が解決しようとする課題】
【０００３】
しかし、特許文献１記載の方法では、クライアントＰＣの端末固有情報(ＩＰアドレス値)のみで認証を行っているため、故意に同じＩＰアドレス値を持たせたクライアントＰＣで操作することで、容易にデータ端末に対するアクセスが可能となってしまうという問題があった。
【０００４】
また特許文献２記載の方法では、複数のデータ端末に対するデータ通信路が集約された外部のルータ装置を制御するため、配下に収容された全てのデータ端末に対するアクセスが有効／無効となるため、個々のデータ端末に限定したアクセス制限ができない問題があった。
【０００５】
本発明の課題は、端末固有情報に基づく認証に加え、電話機においてユーザ(操作者)を確認する機会を設け、個々のデータ端末毎にアクセス可能な範囲を限定して、アクセスを許容／規制させることにある。
【課題を解決するための手段】
【０００６】
そこで本発明では、ＩＰ電話端末にデータ端末接続用インタフェースに接続されたデータ端末間で情報を転送する情報転送手段と相手端末から受信したＩＤを照合する手段を設け、更に該ＩＰ電話端末と対向するＩＰ電話端末とが通話中に及び留守番モード中に特定操作を行うことによって、通話中及び留守番モード中に前記情報転送手段を有効とすることにより、前述の課題を解決する。
【０００７】
本発明のデータ転送機能を有するＩＰ電話端末は、ＩＰ網に接続される相手端末と通信するＩＰインタフェースと、イントラネットに接続される所定のデータ端末または所定の情報サイトと通信するデータポートを備えており、前記ＩＰインタフェースと前記データポート間のデータ転送を中継する中継手段と前記中継手段による前記データ転送を特定操作により制御する特定操作手段とを有し、前記相手端末からの着信を検知し、前記相手端末からのアクセス要求に対応した前記特定操作手段の特定操作に応答して前記中継手段のデータ中継動作を制御し、前記相手端末から前記所定のデータ端末または所定の情報サイトへのアクセスを許容することを特徴とする。
【発明の効果】
【０００８】
本発明によれば、対向するＩＰ電話端末との通話によって相手を確認することができ、不正アクセスによる認証を防止することができる。またＩＰ電話端末のデータ端末接続用ポートに接続されたデータ端末ごとにアクセスの可否を制御することができる。
【発明を実施するための最良の形態】
【０００９】
以下、本発明の実施の形態について図面を参照して説明する。
【実施例１】
【００１０】
図１は、本発明のＩＰ電話端末１の構成を示すブロック図である。ＩＰ電話端末１は、ＩＰ通信部１４は上位のＩＰ網２（ＩＰネットワーク）を介して、相手側のＩＰ電話端末３あるいはデータ端末Ｃ４（以下、ＩＰ電話端末３およびデータ端末Ｃ４を総称して「相手端末３」と呼称する。）と接続されている。また、データポート１５を介して、イントラネット２０に接続されたデータ端末５ａ、５ｂ、５ｃと接続されている。
【００１１】
ＩＰ電話端末１は、呼制御部１３で相手端末３からの着信に応答し、ＩＤ比較部１２ａで相手端末３から送られたＩＤ(ここでは電話番号)情報を抽出し、制御部１６の制御によって予め登録された許可ＩＤ登録部１２ｃの内容と照合する。
【００１２】
許可ＩＤ登録部１２ｃの内容と抽出したＩＤが一致した場合、表示器１８に相手端末３がイントラネット２０に接続されたデータ端末５に対してアクセスを要求していることを表示する。その表示を確認したＩＰ電話端末１の使用者は、送受話器１７ａを介して相手端末３と通話を行い、相手の個人やデータ端末へのアクセス要求範囲を確認し、許容と判断した際、ボタン１１ａ〜１１ｃを押下することにより、対応するデータ中継機能部１９ａ〜１９ｃのデータ中継動作を有効にする。
【００１３】
図２は、本発明の実施例１によるＩＰ電話端末１の動作を示すフローチャートである。待機状態(Ｓ１６００)から着信を検知(Ｓ１６０１，Ｙ)し、受信ＩＤ(ここでは電話番号)を抽出（Ｓ１６０２）する。着信に応答（Ｓ１６０３，Ｙ）すると、相手端末３と通話セッションを確立し(Ｓ１６０４)、通話開始状態(Ｓ１６０５)に遷移する。
【００１４】
次に、ＩＤ比較部１２ａで、相手端末３から受信した呼制御メッセージに含まれるＩＤ(電話番号)と許可ＩＤ登録部１２ｃの内容を照合する(Ｓ１６１０)。  許可ＩＤ登録部１２ｃの内容と受信したＩＤが一致した場合(Ｓ１６１０，Ｙ)、表示器１８に相手先がイントラネット２０に接続されたデータ端末５に対するアクセスを要求している旨を示すメッセージ表示する(Ｓ１６１１)。
【００１５】
本実施例では表示器１８上にメッセージ(文字や記号)を表示しているが、音声ガイダンス等を報知してもよい。またＩＤと許可ＩＤ登録部１２ｃの内容が一致しなかった場合(Ｓ１６１０，Ｎ)、通常の音声通話中状態(Ｓ１６３０)に遷移する。
【００１６】
次にユーザは送受話器１７ａを介して、相手端末３と会話を行い、相手個人やデータ端末５へのアクセス範囲を確認し、相手にイントラネット２０に接続されたデータ端末５ａ、５ｂ、５ｃに対するアクセスを許容すると判断した場合、許容するデータアクセス範囲に応じたボタン１１ａ〜１１ｃを押下する。
【００１７】
ボタン１１ａが押下された場合(Ｓ１６１３，Ｙ)、ＨＴＴＰによるデータ転送のみを許容するポート８０データ中継機能部１９ａを有効とし(Ｓ１６１６)、ボタン１１ｂが押下された場合(Ｓ１６１４，Ｙ)、ＦＴＰによるデータ転送のみを許容するポート２１データ中継機能部１９ｂを有効とし(Ｓ１６１７)、ボタン１１ｃが押下された場合(Ｓ１６１５，Ｙ)、ｐｒｉｎｔ−ｓｒｖ(Network
PostScript)によるデータ転送のみを許容するポート１７０データ中継機能部１９ｃを有効とし(Ｓ１６１８)、データ通信中状態(Ｓ１６１９)に遷移する。
【００１８】
データ端末へのアクセスを許容しない場合(Ｓ１６１５，Ｎ)、音声通話中状態(Ｓ１６３０)に遷移する。音声通話中状態で切断を検知した場合(Ｓ１６３１，Ｙ)、待機状態(Ｓ１６００)に戻る。また、データ通信中状態でデータリンクの切断を検知した場合(Ｓ１６２０，Ｙ)、各データ中継機能部を無効とし(Ｓ１６２１、Ｓ１６２２、Ｓ１６２３)、待機状態(Ｓ１６００)に戻る。
【００１９】
図３は、本発明の実施例１によるＩＰ電話端末１の許可ＩＤ登録部１２ｃの登録内容を示す図で、許容する相手の電話番号のフィールド１２１と電話番号に対応する許容ＩＰアドレスのフィールド１２２を有する。各データ中継機能部(１９ａ〜１９ｃ)では、ポート番号の制限に加え、アクセスしてくるデータ端末のＩＰアドレスに対して制限する。
【００２０】
また、図３では、レコード１２３、１２４の許容電話番号２００１番と２００２番との通話では、レコード１２３、１２４の許容ＩＰアドレスに登録されている１２３、１２４の許容ＩＰアドレスからのアクセスを許容するが、レコード１２５の許容電話番号３１２３番との通話ではデータ端末のＩＰアドレスが登録されていないため、全てのＩＰアドレスのデータ端末に対して接続を許容する。
【実施例２】
【００２１】
図４は、本発明の実施例２によるＩＰ電話端末１が留守番モードに設定されていた場合の制御部１６の動作を示すフローチャートである。
【００２２】
待機状態(Ｓ１６００)において、ボタン１１ｋが押下されると(Ｓ１６４１，Ｙ)、本ＩＰ電話端末は留守番モードに設定(Ｓ１６４２)され、留守番モード状態に移行する（Ｓ１６４３)。
【００２３】
留守番モードにおいて、着信を検出（Ｓ１６５１，Ｙ）すると、受信ＩＤを抽出する（Ｓ１６５２）。そして着信に自動応答し(Ｓ１６５３，Ｙ)、通話セッションを確立すると(Ｓ１６５４)、録音開始状態(Ｓ１６６０)に遷移する。
そして留守応答メッセージ送出部１７ｂに格納された留守応答メッセージを相手端末３に送出する(Ｓ１６６１)。
【００２４】
次にＩＤ比較部１２ａで、相手端末３から受信した受信ＩＤ(電話番号)と許可ＩＤ登録部１２ｃに登録された許容電話番号１２１の内容とを照合する(Ｓ１６６２)。
【００２５】
許可ＩＤ登録部１２ｃに登録された許容電話番号１２１の内容と受信ＩＤ（電話番号）が一致した場合(Ｓ１６６２，Ｙ)、通話路上のＤＴＭＦ信号等で送られる特定コードを特定コード抽出部１２ｂで受信し(Ｓ１６６３)、受信した特定コードが所定の値と一致した場合(Ｓ１６６４〜Ｓ１６６６)、対応するデータ中継機能部を有効とし(Ｓ１６６７〜Ｓ１６６９)、データ通信中状態(Ｓ１６７０)に遷移する。
【００２６】
データ端末へのアクセスを許容しない場合(Ｓ１６６２，Ｎ及びＳ１６６３，Ｎ)、音声録音中状態(Ｓ１６８０)に遷移する。音声録音中状態で切断を検知した場合(Ｓ１６８１，Ｙ)、留守番モード状態(Ｓ１６５０)に戻る。
【００２７】
データ通信中状態でデータリンクの切断を検知した場合(Ｓ１６７１，Ｙ)、各データ中継機能部を無効とし(Ｓ１６７２、Ｓ１６７３、Ｓ１６７４)、留守番モード状態(Ｓ１６５０)に戻る。
【００２８】
尚、本実施例では、ＩＰ電話端末として記載したが、本願はこれに限定されない。ＩＰ電話機能と中継機能とで端末を分け、互いの端末間は特定コマンド通信機能を有してもよい。これにより、複数のＩＰ電話端末からリモートで中継を実現することができる。また、前記中継機能はＩＰ網２に接続されるゲートウェイ装置であってもよい。
【図面の簡単な説明】
【００２９】
【図１】図１は、本発明によるＩＰ電話端末１の構成を示すブロック図である。
【図２】図２は、本発明の実施例１のＩＰ電話端末１の制御部１６の動作を示すフローチャートである。
【図３】図３は、ＩＰ電話端末１の比較パラメータの構成を示す図である。
【図４】図４は、本発明の実施例２のＩＰ電話端末１が留守番モードで動作した場合のフローチャートである。
【符号の説明】
【００３０】
１    ＩＰ電話端末
２    ＩＰ網
３    ＩＰ電話端末
４    データ端末Ｃ
５ａ    データ端末Ｗ
５ｂ    データ端末Ｆ
５ｃ    データ端末Ｐ
１１ａ    ボタンＡ
１１ｂ    ボタンＢ
１１ｃ    ボタンＣ
１１ｋ    ボタンＫ（留守）
１２ａ    ＩＤ(電話番号)比較部
１２ｂ    特定コード(ＤＴＭＦ)抽出部
１２ｃ    許可ＩＤ登録部
１３    呼制御部
１４    ＩＰ通信部
１５    データポート
１６    制御部
１７ａ    送受話器
１７ｂ    留守応答メッセージ送出部
１８    表示器
１９ａ    ポート８０中継機能部
１９ｂ    ポート２１中継機能部
１９ｃ    ポート１７０中継機能部
２０    イントラネット
【図１】
2010045473.tif 000003
【図２】
2010045473.tif 000004
【図３】
2010045473.tif 000005
【図４】
2010045473.tif 000006